(57)【要約】【課題】本発明の目的は、イメージセンサモジュールを保持するホルダ内に紙粉などの塵埃が入り込むことを抑制できる、画像読取装置を提供することである。また、本発明の他の目的は、押圧部材がイメージセンサモジュールに直に接触することを抑制できる、画像読取装置を提供することである。【解決手段】第１読取部３５は、第１ホルダ１０１、第１イメージセンサモジュール１０２、樹脂シート１０３および押圧部材１０４Ａ，１０４Ｂを備えている。樹脂シート１０３は、第１イメージセンサモジュール１０２の上側に配置されている。そのため、第１ホルダ１０１内に紙粉などの塵埃が入り込むことを抑制できる。また、第１イメージセンサモジュール１０２と押圧部材１０４Ａ，１０４Ｂとの間に、樹脂シート１０３が介在される。これにより、押圧部材１０４Ａ，１０４Ｂが第１イメージセンサモジュール１０２に直に接触することを抑制できる。【選択図】図４
2014195208.tif 000002
【特許請求の範囲】
【請求項１】
第１方向に延びるイメージセンサモジュールと、
前記イメージセンサモジュールを保持するように構成されたホルダと、
前記イメージセンサモジュールの前記第１方向と直交する第２方向の一方側に配置された樹脂シートと、
前記樹脂シートに当接し、前記樹脂シートを介して前記イメージセンサモジュールを前記第２方向の他方側に押圧する押圧部材とを備える、画像読取装置。
【請求項２】
前記イメージセンサモジュールは、前記第１方向の両側ならびに前記第１方向および前記第２方向の両方向と直交する第３方向の両側を取り囲む側部を備え、
前記押圧部材は、前記樹脂シートを介して前記側部を押圧する、請求項１に記載の画像読取装置。
【請求項３】
複数の前記押圧部材が前記第１方向に間隔を空けて設けられている、請求項１または２に記載の画像読取装置。
【請求項４】
前記押圧部材は、金属の線材からなる、請求項１〜３のいずれか一項に記載の画像読取装置。
【請求項５】
前記ホルダは、前記第１方向および前記第２方向の両方向と直交する第３方向の一端に設けられ、前記第１方向および前記第２方向に延びる第１壁部と、前記第３方向の他端に設けられ、前記第１方向および前記第２方向に延びる第２壁部とを備え、
前記押圧部材は、前記第１壁部と前記第２壁部との間に架設されている、請求項４に記載の画像読取装置。
【請求項６】
前記ホルダは、前記第１壁部から前記第２壁部側と反対側に突出する第１突起と、前記第２壁部から前記第１壁部側と反対側に突出する第２突起とを備え、
前記押圧部材は、前記第１壁部と前記第２壁部との間に跨がる第１延部と、前記第１延部の一端部から前記第１突起に向けて延びる第２延部と、前記第１突起に巻回される第１巻回部と、前記第１巻回部から延び、前記第１壁部に係止される第１係止部と、前記第１延部の他端部から前記第２突起に向けて延びる第３延部と、前記第２突起に巻回される第２巻回部と、前記第２巻回部から延び、前記第２壁部に係止される第２係止部とを一体的に有している、請求項５に記載の画像読取装置。
【請求項７】
前記ホルダは、前記第１方向および前記第２方向の両方向と直交する第３方向の一端に設けられ、前記第１方向および前記第２方向に延びる第１壁部と、前記第１壁部に設けられ、前記イメージセンサモジュールと係合する第１係合部と、前記第３方向の他端に設けられ、前記第１方向および前記第２方向に延びる第２壁部と、前記第２壁部に設けられ、前記イメージセンサモジュールと係合する第２係合部とを備え、
前記樹脂シートは、前記第１係合部および前記第２係合部を前記第３方向の外側から覆うように設けられている、請求項１〜６のいずれか一項に記載の画像読取装置。
【請求項８】
前記ホルダは、前記第１方向および前記第２方向の両方向と直交する第３方向の一端に設けられ、前記第１方向および前記第２方向に延びる第１壁部と、前記第３方向の他端に設けられ、前記第１方向および前記第２方向に延びる第２壁部と、前記第１壁部および前記第２壁部の前記第２方向の他方側の各端部間に設けられ、前記イメージセンサモジュールに出入りする光が通過する窓が形成された第３壁部とを備え、前記第３壁部をシートが搬送される搬送路に向けて、前記搬送路の上側に配置されており、
前記樹脂シートは、前記第１壁部と前記イメージセンサモジュールとの間の隙間を前記第２方向の一方側から閉塞するように設けられている、請求項１〜７のいずれか一項に記載の画像読取装置。
【請求項９】
第１方向に延びるイメージセンサモジュールと、
前記第１方向および前記第１方向と直交する第２方向の両方向と直交する第３方向の一端に設けられ、前記第１方向および前記第２方向に延びる第１壁部と、前記第３方向の他端に設けられ、前記第１方向および前記第２方向に延びる第２壁部と、前記第１壁部および前記第２壁部の前記第２方向の他方側の各端部間に設けられ、前記イメージセンサモジュールに出入りする光が通過する窓が形成された第３壁部とを備え、前記第３壁部をシートが搬送される搬送路に向けて、前記搬送路の下側に配置され、前記イメージセンサモジュールを保持するように構成されたホルダと、
前記ホルダの下側に設けられた底面部と、
前記底面部から上側に延出し、前記第１壁部と前記イメージセンサモジュールとの間に介在される介在壁部とを備える、画像読取装置。
【発明の詳細な説明】
【技術分野】
【０００１】
本発明は、画像読取装置に関する。
【背景技術】
【０００２】
特許文献１に開示されている画像読取装置は、イメージセンサモジュールがホルダに保持された構成を有している。ホルダは、イメージセンサモジュールの側方を取り囲む側壁と、側壁におけるイメージセンサモジュールの読取面側と反対側の端縁に架設された底壁とを備える。イメージセンサモジュールとホルダの底壁との間には、ばねが介在されている。イメージセンサモジュールは、そのばねにより、ホルダの底壁から離間する方向に押圧されている。
【先行技術文献】
【特許文献】
【０００３】
【特許文献１】特開２０１２−１５１５７０号公報
【発明の概要】
【発明が解決しようとする課題】
【０００４】
画像読取装置の薄型化のために、ホルダの底壁を除去することが考えられる。しかしながら、底壁が除去されると、その底壁が除去された部分でホルダが開放されるため、ホルダ内に紙粉などの塵埃が入り込むおそれがある。ホルダ内に入り込んだ塵埃がイメージセンサモジュールの読取面に付着すると、イメージセンサモジュールにより、その塵埃が画像として読み取られてしまう。
【０００５】
また、イメージセンサモジュールには、ホルダの底壁側の端部に、基板が設けられることがある。基板には、イメージセンサモジュールに備えられるイメージセンサなどの電子部品と電気的に接続された回路が形成されている。そのため、ばねが基板に接触すると、基板の回路間が短絡されるおそれがある。
【０００６】
本発明の目的は、イメージセンサモジュールを保持するホルダ内に紙粉などの塵埃が入り込むことを抑制できる、画像読取装置を提供することである。
【０００７】
また、本発明の他の目的は、押圧部材がイメージセンサモジュールに直に接触することを抑制できる、画像読取装置を提供することである。
【課題を解決するための手段】
【０００８】
前記の目的を達成するため、本発明の一の局面に係る画像読取装置は、第１方向に延びるイメージセンサモジュールと、イメージセンサモジュールを保持するように構成されたホルダと、イメージセンサモジュールの第１方向と直交する第２方向の一方側に配置された樹脂シートと、樹脂シートに当接し、樹脂シートを介してイメージセンサモジュールを第２方向の他方側に押圧する押圧部材とを備える。
【０００９】
この構成によれば、イメージセンサモジュールの第２方向の一方側に樹脂シートが配置されている。そのため、ホルダ内に紙粉などの塵埃が入り込むことを抑制できる。これにより、イメージセンサモジュールの読取面に塵埃が付着することを抑制できる。その結果、イメージセンサモジュールにより、シートの画像を良好に読み取ることができる。
【００１０】
また、イメージセンサモジュールと押圧部材との間に、樹脂シートが介在される。これにより、押圧部材がイメージセンサモジュールに直に接触することを抑制できる。そのため、イメージセンサモジュールの第２方向の一方側の端部に基板が設けられていても、押圧部材が基板と直に接触することを抑制できる。
【発明の効果】
【００１１】
本発明によれば、イメージセンサモジュールを保持するホルダ内に紙粉などの塵埃が入り込むことを抑制できる。
【００１２】
また、押圧部材がイメージセンサモジュールに直に接触することを抑制できる。
【図面の簡単な説明】
【００１３】
【図１】本発明の一実施形態に係る画像読取装置１の右上前側から見た外観斜視図であり、画像読取装置１の非使用時の状態を示す。
【図２】画像読取装置１の右上前側から見た外観斜視図であり、画像読取装置１の使用時の状態を示す。
【図３】画像読取装置１の図解的な断面図である。
【図４】第１読取部３５の右上後側から見た斜視図である。
【図５】第１読取部３５の左上前側から見た斜視図である。
【図６】第１読取部３５の右上後側から見た斜視図であり、樹脂シート１０３が取り除かれた状態を示す。
【図７】第１読取部３５の左上前側から見た斜視図であり、樹脂シート１０３が取り除かれた状態を示す。
【図８】第１読取部３５の平面図であり、押圧部材１０４Ａ，１０４Ｂが取り除かれた状態を示す。
【図９】図８に示される切断面線Ａ−Ａにおける第１読取部３５の断面図である。
【図１０】第１ホルダ１０１の平面図である。
【図１１】第１読取部３５の平面図であり、樹脂シート１０３および押圧部材１０４Ｂが取り除かれた状態を示す。
【図１２】図１１に示される切断面線Ｂ−Ｂにおける第１読取部３５の断面図である。
【図１３】下フレーム７の平面図である。
【図１４】図１３に示される切断面線Ｃ−Ｃにおける下フレーム７および第２読取部３６の断面図である。
【図１５】変形例を説明するための説明図である。
【発明を実施するための形態】
【００１４】
以下では、本発明の実施の形態について、添付図面を参照しつつ詳細に説明する。
【００１５】
＜全体構成＞
【００１６】
画像読取装置１は、筐体２およびトレイ３を備えている。
【００１７】
筐体２は、左フレーム４、右フレーム５、上フレーム６、下フレーム７、操作パネルフレーム８および操作部９を備えている。
【００１８】
なお、以下の説明では、筐体２に対して開位置に位置するトレイ３が位置する側を後側とし、下フレーム７に対する上フレーム６側を上側として、上下、左右および前後の各方向を規定する。そして、図１以降の各図では、矢印で方向を表示する。
【００１９】
図１および図２に示されるように、左フレーム４および右フレーム５は、左右方向に間隔を空けて配置されている。
【００２０】
上フレーム６および下フレーム７は、左フレーム４と右フレーム５との間に配置されている。
【００２１】
上フレーム６は、図２および図３に示されるように、下フレーム７に上側から重なる。
【００２２】
操作パネルフレーム８は、上フレーム６に上側から重なる。
【００２３】
操作部９は、操作パネルフレーム８において、下側の前後方向および左右方向の略中央に位置している。操作部９は、タッチパネル付の操作パネル１０を備えている。操作パネル１０は、図２に示されるように、操作パネルフレーム８に設けられた開口部１１から上側に露出するように配置されている。
【００２４】
トレイ３は、後トレイ１２、上トレイ１３および前トレイ１４を備えている。
【００２５】
後トレイ１２の左右方向と直交する方向の一端部は、上トレイ１３の左右方向と直交する方向の一端部に、左右方向に延びる軸線まわりに回動可能に連結されている。一方、後トレイ１２の他端部は、筐体２の左フレーム４および右フレーム５の上下方向の略中央に、非図示のトレイ軸部を中心に回動可能に支持されている。上トレイ１３の他端部は、前トレイ１４の左右方向と直交する方向の一端部に、左右方向に延びる軸線まわりに回動可能に連結されている。
【００２６】
これにより、トレイ３は、図１に示されるように、後トレイ１２が上フレーム６に後側から重なり、上トレイ１３が操作パネルフレーム８に上側から重なり、前トレイ１４が上フレーム６に前側から重なることにより、上フレーム６および操作パネルフレーム８を覆う。また、トレイ３は、その上フレーム６および操作パネルフレーム８を覆う閉位置から、図２に示されるように、後トレイ１２が下フレーム７の後上端部から後上側に延び、上トレイ１３が後トレイ１２と平行に延び、前トレイ１４が、上トレイ１３から上側に延びる開位置に変化させることができる。そして、トレイ３が開位置に位置するときに、トレイ３にシートＳを載置することができる。
【００２７】
トレイ３の上トレイ１３には、トレイ３が閉位置に位置するときに操作パネル１０と上下方向に重なる位置に、操作パネル１０の外形とほぼ同じサイズの開口１５が形成されている。これにより、トレイ３が開位置に位置する状態および閉位置に位置する状態のいずれの状態においても、操作パネル１０を視認することができる。
【００２８】
上フレーム６は、図３に示されるように、下フレーム７に対して上下方向に間隔を空けて配置されている。上フレーム６と下フレーム７との間は、シートＳが搬送される搬送路１６である。搬送路１６は、上フレーム６の後端縁と下フレーム７の後端縁との間に形成される導入口１７により、後上側に開放されている。また、搬送路１６は、上フレーム６の前端縁と下フレーム７の前端縁との間に形成される排出口１８により、前側に開放されている。シートＳは、導入口１７から搬送路１６に導入され、搬送路１６を排出口１８に向けて搬送される。以下、このシートＳの流れに沿って、画像読取装置１が備える各構成の説明を行う。
【００２９】
画像読取装置１は、供給ローラ３１、分離片３２、搬送駆動ローラ３３、搬送従動ローラ３４、第１読取部３５、第２読取部３６、排出駆動ローラ３７および排出従動ローラ３８を備えている。
【００３０】
供給ローラ３１は、導入口１７の前側に配置されている。供給ローラ３１は、下フレーム７に、下フレーム７の後端部で左右方向に延びる回転軸線まわりに回転可能に保持されている。供給ローラ３１の周面の一部は、下フレーム７の上面から前上側に突出している。
【００３１】
分離片３２は、たとえば、ゴムからなる。分離片３２は、上フレーム６に取り付けられている。分離片３２は、供給ローラ３１の周面に前上側から弾性的に当接している。
【００３２】
搬送駆動ローラ３３は、供給ローラ３１の前側に配置されている。搬送駆動ローラ３３は、下フレーム７に、左右方向に延びる回転軸線まわりに回転可能に保持されている。搬送駆動ローラ３３の周面の一部は、下フレーム７の上面から上側に突出している。
【００３３】
搬送従動ローラ３４は、搬送駆動ローラ３３の上側に配置されている。搬送従動ローラ３４は、上フレーム６に、左右方向に延びる回転軸線まわりに回転可能に保持されている。搬送従動ローラ３４の周面は、上フレーム６の下面から下側に突出し、搬送駆動ローラ３３の周面に当接している。
【００３４】
第１読取部３５は、搬送従動ローラ３４の前側に配置されている。第１読取部３５は、上フレーム６の下面から上側に凹んで形成された第１収容部４１に収容されている。第１読取部３５は、第１収容部４１内で左右方向に延びている。第１読取部３５は、その読取面を下側に向けた状態で第１収容部４１に収容されている。
【００３５】
第２読取部３６は、搬送駆動ローラ３３の前側に配置されている。第２読取部３６は、下フレーム７の上面から下側に凹んで形成された第２収容部４２に収容されている。第２読取部３６は、第２収容部４２内で左右方向に延びている。第２読取部３６は、その読取面を上側に向けた状態で第２収容部４２に収容されている。
【００３６】
排出駆動ローラ３７は、第２読取部３６の前側に配置されている。排出駆動ローラ３７は、下フレーム７に、下フレーム７の前端部で左右方向に延びる回転軸線まわりに回転可能に保持されている。排出駆動ローラ３７の周面の一部は、下フレーム７の上面から上側に突出している。
【００３７】
排出従動ローラ３８は、第１読取部３５の前側に配置されている。排出従動ローラ３８は、上フレーム６に、上フレーム６の前端部で左右方向に延びる回転軸線まわりに回転可能に保持されている。排出従動ローラ３８の周面は、上フレーム６の下面から下側に突出し、排出駆動ローラ３７の周面に当接している。
【００３８】
＜シートの画像の読み取り＞
【００３９】
シートＳの画像の読み取りの際には、図２に示されるように、トレイ３が開位置に配置される。そして、トレイ３上にシートＳが載置される。
【００４０】
トレイ３上に載置されるシートＳは、その先端部が供給ローラ３１および分離片３２に当接するまで、導入口１７内に差し込まれる。このとき、供給ローラ３１、搬送駆動ローラ３３および排出駆動ローラ３７が右側から見て反時計回りに回転される。また、搬送従動ローラ３４および排出従動ローラ３８は、それぞれ搬送駆動ローラ３３および排出駆動ローラ３７の回転に従動して、右側から見て時計回りに回転する。
【００４１】
シートＳの先端部が供給ローラ３１の周面に到達すると、供給ローラ３１からシートＳに搬送力が付与され、シートＳの先端部が供給ローラ３１と分離片３２との間に移動する。そして、シートＳが供給ローラ３１と分離片３２との間に挟まれたときに、シートＳが、１枚ずつに分離され、１枚のシートＳが供給ローラ３１と分離片３２との間を通過して、搬送駆動ローラ３３の周面と搬送従動ローラ３４の周面との間に移動する。
【００４２】
シートＳの先端部が搬送駆動ローラ３３の周面と搬送従動ローラ３４の周面との間に到達すると、搬送駆動ローラ３３および搬送従動ローラ３４からシートＳに搬送力が付与される。この搬送力により、シートＳは、前側に搬送されて、搬送駆動ローラ３３と搬送従動ローラ３４との間を通過する。
【００４３】
その後、シートＳは、第１読取部３５の読取面上および第２読取部３６の読取面上を通過する。このとき、第１読取部３５の読取面上および第２読取部３６の読取面上のシートＳに、それぞれ第１読取部３５および第２読取部３６から光が照射される。そして、シートＳでの反射光が第１読取部３５および第２読取部３６に受けられることにより、シートＳの両面の画像がそれぞれ読み取られる。
【００４４】
そして、シートＳの先端部が排出駆動ローラ３７の周面と排出従動ローラ３８の周面との間に到達すると、排出駆動ローラ３７および排出従動ローラ３８からシートＳに搬送力が付与される。この搬送力により、シートＳは、前側に搬送されて、排出口１８を通して排出される。
【００４５】
＜第１読取部＞
【００４６】
第１読取部３５は、図４および図５に示されるように、ホルダの一例である第１ホルダ１０１、イメージセンサモジュールの一例である第１イメージセンサモジュール１０２、樹脂シート１０３および２つの押圧部材１０４Ａ，１０４Ｂを備えている。また、第１読取部３５は、図９に示されるように、透明板１２０を備えている。
【００４７】
なお、図４、図５および図９に矢印で表示されている方向は、第１読取部３５が画像読取装置１に取り付けられた状態における方向である。
【００４８】
第１ホルダ１０１は、図６および図７に示されるように、第１壁部の一例である後壁部１１１、第２壁部の一例である前壁部１１２、左壁部１１３、右壁部１１４、第３壁部の一例である下壁部１１５および延部１２３を一体的に備えている。
【００４９】
なお、図６および図７に矢印で表示されている方向は、第１読取部３５が画像読取装置１に取り付けられた状態における方向である。
【００５０】
後壁部１１１は、左右方向および上下方向に延びている。前壁部１１２は、後壁部１１１の前側に間隔を空けて、後壁部１１１と左右方向に同じ位置で、後壁部１１１と平行に延びている。左壁部１１３は、後壁部１１１および前壁部１１２の各左端縁を連結している。右壁部１１４は、後壁部１１１および前壁部１１２の各右端縁を連結している。下壁部１１５は、後壁部１１１、前壁部１１２、左壁部１１３および右壁部１１４の各下端縁間に架設されている。延部１２３は、下壁部１１５の後端から後側に延びている。
【００５１】
下壁部１１５および延部１２３には、図９に示されるように、凹部１２１が形成されている。凹部１２１は、下壁部１１５と延部１２３との下面に跨がって、それぞれの下面から上側に凹んで前後方向および左右方向に延びている。透明板１２０は、前後方向において凹部１２１よりも小さく形成されており、凹部１２１に嵌められて下壁部１１５に保持されている。
【００５２】
また、下壁部１１５には、窓１２２が形成されている。窓１２２は、下壁部１１５において、透明板１２０の前端部と上下方向に重なる位置で左右方向に延びるように形成された開口である。
【００５３】
また、後壁部１１１の左端部、中央部および右端部には、図６に示されるように、それぞれ切欠１１６Ａ，１１６Ｂ，１１６Ｃが形成されている。切欠１１６Ａ，１１６Ｂ，１１６Ｃは、後壁部１１１の上端から下側に切り欠かれて形成されている。
【００５４】
第１ホルダ１０１は、３つの第１係合部１３１Ａ，１３１Ｂ，１３１Ｃを備えている。
【００５５】
第１係合部１３１Ａは、切欠１１６Ａ内に設けられている。第１係合部１３１Ａは、左部１３３Ａ、右部１３４Ａおよび上部１３５Ａを一体的に有している。左部１３３Ａおよび右部１３４Ａは、切欠１１６Ａ内で左右方向に間隔を空けて配置され、それぞれ後壁部１１１の上面から上側に延びている。上部１３５Ａは、左部１３３Ａおよび右部１３４Ａの上端部間に架設されている。
【００５６】
第１係合部１３１Ｂは、切欠１１６Ｂ内に設けられている。第１係合部１３１Ｂは、左部１３３Ｂ、右部１３４Ｂおよび上部１３５Ｂを一体的に有している。左部１３３Ｂおよび右部１３４Ｂは、切欠１１６Ｂ内で左右方向に間隔を空けて配置され、それぞれ後壁部１１１の上面から上側に延びている。上部１３５Ｂは、左部１３３Ｂおよび右部１３４Ｂの上端部間に架設されている。
【００５７】
第１係合部１３１Ｃは、切欠１１６Ｃ内に設けられている。第１係合部１３１Ｃは、左部１３３Ｃ、右部１３４Ｃおよび上部１３５Ｃを一体的に有している。左部１３３Ｃおよび右部１３４Ｃは、切欠１１６Ｃ内で左右方向に間隔を空けて配置され、それぞれ後壁部１１１の上面から上側に延びている。上部１３５Ｃは、左部１３３Ｃおよび右部１３４Ｃの上端部間に架設されている。
【００５８】
また、前壁部１１２の左端部、中央部および右端部には、図７に示されるように、それぞれ切欠１１７Ａ，１１７Ｂ，１１７Ｃが形成されている。切欠１１７Ａ，１１７Ｂ，１１７Ｃは、前壁部１１２の上端から下側に切り欠かれて形成されている。
【００５９】
第１ホルダ１０１は、３つの第２係合部１３２Ａ，１３２Ｂ，１３２Ｃを備えている。
【００６０】
第２係合部１３２Ａは、切欠１１７Ａ内に設けられている。第２係合部１３２Ａは、左部１３６Ａ、右部１３７Ａおよび上部１３８Ａを一体的に有している。左部１３６Ａおよび右部１３７Ａは、切欠１１７Ａ内で左右方向に間隔を空けて配置され、それぞれ前壁部１１２の上面から上側に延びている。上部１３８Ａは、左部１３６Ａおよび右部１３７Ａの上端部間に架設されている。
【００６１】
第２係合部１３２Ｂは、切欠１１７Ｂ内に設けられている。第２係合部１３２Ｂは、左部１３６Ｂ、右部１３７Ｂおよび上部１３８Ｂを一体的に有している。左部１３６Ｂおよび右部１３７Ｂは、切欠１１７Ｂ内で左右方向に間隔を空けて配置され、それぞれ前壁部１１２の上面から上側に延びている。上部１３８Ｂは、左部１３６Ｂおよび右部１３７Ｂの上端部間に架設されている。
【００６２】
第２係合部１３２Ｃは、切欠１１７Ｃ内に設けられている。第２係合部１３２Ｃは、左部１３６Ｃ、右部１３７Ｃおよび上部１３８Ｃを一体的に有している。左部１３６Ｃおよび右部１３７Ｃは、切欠１１７Ｃ内で左右方向に間隔を空けて配置され、それぞれ前壁部１１２の上面から上側に延びている。上部１３８Ｃは、左部１３６Ｃおよび右部１３７Ｃの上端部間に架設されている。
【００６３】
また、第１ホルダ１０１の下壁部１１５には、図１０に示されるように、６つの溝部１４１Ａ，１４１Ｂ，１４１Ｃ，１４１Ｄ，１４１Ｅ，１４１Ｆ、２つの突起１４２Ａ，１４２Ｂおよび壁部１４３が形成されている。
【００６４】
なお、図１０に矢印で表示されている方向は、第１読取部３５が画像読取装置１に取り付けられた状態における方向である。
【００６５】
溝部１４１Ａ，１４１Ｂ，１４１Ｃ，１４１Ｄ，１４１Ｅ，１４１Ｆは、後壁部１１１と下壁部１１５の窓１２２との間において、左右方向に延びる直線上に互いに間隔を空けた位置に、下壁部１１５の上面から下側に凹んで形成されている。
【００６６】
突起１４２Ａ，１４２Ｂは、それぞれ前壁部１１２の左端部および右端部の後側に設けられている。突起１４２Ａ，１４２Ｂは、それぞれ下壁部１１５の上面から上側に突出している。
【００６７】
壁部１４３は、前壁部１１２と下壁部１１５の窓１２２との間に配置されている。壁部１４３は、下壁部１１５の上面から上側に突出し、左右方向に延びている。
【００６８】
また、第１ホルダ１０１は、図６に示されるように、第１突起の一例である左突起１５１、左突出部１５２、第１突起の一例である右突起１５５および右突出部１５６を備えている。
【００６９】
左突起１５１は、後壁部１１１の切欠１１６Ａの右側において、後壁部１１１の上下方向の中央部に配置されている。左突起１５１は、後壁部１１１の後面から後側に突出して形成されている。
【００７０】
左突出部１５２は、左突起１５１の右上側に配置されている。左突出部１５２は、後壁部１１１の後面から後側に突出して上下方向に延びている。
【００７１】
右突起１５５は、後壁部１１１の切欠１１６Ｃの左側において、上下方向に左突起１５１と同じ位置に配置されている。右突起１５５は、後壁部１１１の後面から後側に突出して形成されている。
【００７２】
右突出部１５６は、右突起１５５の左上側に配置されている。右突出部１５６は、後壁部１１１の後面から後側に突出して上下方向に延びている。
【００７３】
第１ホルダ１０１は、図７に示されるように、第２突起の一例である左突起１５３、左突出部１５４、第２突起の一例である右突起１５７および右突出部１５８を備えている。
【００７４】
左突起１５３は、前壁部１１２の切欠１１７Ａの右側において、前壁部１１２の上下方向の中央部に配置されている。左突起１５３は、前壁部１１２の前面から前側に突出して形成されている。
【００７５】
左突出部１５４は、左突起１５３の右上側に配置されている。左突出部１５４は、前壁部１１２の前面から前側に突出して上下方向に延びている、
【００７６】
右突起１５７は、前壁部１１２の切欠１１７Ｃの左側において、上下方向に左突起１５３と同じ位置に配置されている。右突起１５７は、前壁部１１２の前面から前側に突出して形成されている。
【００７７】
右突出部１５８は、右突起１５７の左上側に配置されている。右突出部１５８は、前壁部１１２の前面から前側に突出して上下方向に延びている。
【００７８】
第１イメージセンサモジュール１０２は、ＬＥＤ光源、レンズおよびイメージセンサなどを内部に備えている。第１イメージセンサモジュール１０２は、第１ホルダ１０１内に配置されている。また、第１イメージセンサモジュール１０２は、図６および図７に示されるように、側部１６１および基板１６２を備えている。
【００７９】
側部１６１は、後板部１７１、前板部１７２、左板部１７３および右板部１７４を備えている。
【００８０】
後板部１７１は、第１ホルダ１０１の後壁部１１１の前側に配置されている。後板部１７１は、左右方向に延びている。後板部１７１の上端は、第２係合部１３２Ａの上部１３８Ａおよび第２係合部１３２Ｃの上部１３８Ｃよりも上側に位置している。後板部１７１の下端は、図９に示されるように、前後方向において溝部１４１Ａ，１４１Ｂ，１４１Ｃ，１４１Ｄ，１４１Ｅ，１４１Ｆと同じ位置に配置されている。
【００８１】
前板部１７２は、図６および図７に示されるように、第１ホルダ１０１の前壁部１１２の後側に配置されている。前板部１７２は、後板部１７１の前側に間隔を空けて、左右方向に延びている。前板部１７２の上端は、第２係合部１３２Ａの上部１３８Ａおよび第２係合部１３２Ｃの上部１３８Ｃよりも上側に位置している。前板部１７２の下端は、その右端部を除き、図９に示されるように、前後方向において第１ホルダ１０１における前壁部１１２と壁部１４３との間に配置されている。これにより、前壁部１１２の上端と前側板１７２の上端との間から第１ホルダ１０１内に紙粉などの塵埃が流入しても、その塵埃が壁部１４３にせき止められる。
【００８２】
左板部１７３は、図６および図７に示されるように、後板部１７１および前板部１７２の各左端縁を連結している。
【００８３】
右板部１７４は、後板部１７１および前板部１７２の各右端縁を連結している。
【００８４】
後板部１７１には、図６に示されるように、３つの第１突出部１７５Ａ，１７５Ｂ，１７５Ｃが形成されている。
【００８５】
第１突出部１７５Ａは、第１係合部１３１Ａの左部１３３Ａと右部１３４Ａとの間に配置されている。第１突出部１７５Ａは、第１係合部１３１Ａの上部１３５Ａの下側で、上下方向に延びている。
【００８６】
第１突出部１７５Ｂは、第１係合部１３１Ｂの左部１３３Ｂと右部１３４Ｂとの間に配置されている。第１突出部１７５Ｂは、第１係合部１３１Ｂの上部１３５Ｂの下側で、上下方向に延びている。
【００８７】
第１突出部１７５Ｃは、第１係合部１３１Ｃの左部１３３Ｃと右部１３４Ｃとの間に配置されている。第１突出部１７５Ｃは、第１係合部１３１Ｃの上部１３５Ｃの下側で、上下方向に延びている。
【００８８】
また、前板部１７２には、図７に示されるように、３つの第２突出部１７６Ａ，１７６Ｂ，１７６Ｃが形成されている。
【００８９】
第２突出部１７６Ａは、第２係合部１３２Ａの左部１３６Ａと右部１３７Ａとの間に配置されている。第２突出部１７６Ａは、第２係合部１３２Ａの上部１３８Ａの下側で、上下方向に延びている。
【００９０】
第２突出部１７６Ｂは、第２係合部１３２Ｂの左部１３６Ｂと右部１３７Ｂとの間に配置されている。第２突出部１７６Ｂは、第２係合部１３２Ｂの上部１３８Ｂの下側で、上下方向に延びている。
【００９１】
第２突出部１７６Ｃは、第２係合部１３２Ｃの左部１３６Ｃと右部１３７Ｃとの間に配置されている。第２突出部１７６Ｃは、第２係合部１３２Ｃの上部１３８Ｃの下側で、上下方向に延びている。
【００９２】
また、側部１６１には、図９に示されるように、第１ホルダ１０１の溝部１４１Ａ，１４１Ｂ，１４１Ｃ，１４１Ｄ，１４１Ｅ，１４１Ｆにそれぞれ対応して、突出部１８１が設けられている。
【００９３】
また、側部１６１には、図１２に示されるように、第１ホルダ１０１の突起１４２Ｂ，１４２Ａにそれぞれ対応して、凹部１８２が形成されている。
【００９４】
各突出部１８１が溝部１４１Ａ，１４１Ｂ，１４１Ｃ，１４１Ｄ，１４１Ｅ，１４１Ｆにそれぞれ嵌められ、各凹部１８２に突起１４２Ａ，１４２Ｂがそれぞれ挿入されることにより、第１イメージセンサモジュール１０２は、第１ホルダ１０１に対して左右方向および前後方向への移動が規制されている。
【００９５】
基板１６２は、図６および図７に示されるように、側部１６１の後板部１７１、前板部１７２、左板部１７３および右板部１７４の間で左右方向および前後方向に延び、側部１６１を下側から閉塞している。基板１６２の上面には、コネクタ１９１が設けられている。コネクタ１９１は、基板１６２の左端部に配置されており、基板１６２の上面から上側に突出している。
【００９６】
樹脂シート１０３は、図４および図５に示されるように、第１シート部２０１、第２シート部２０２および３つの第３シート部２０３Ａ，２０３Ｂ，２０３Ｃを一体的に有している。
【００９７】
第１シート部２０１は、図４に示されるように、左右方向および上下方向に延び、第１ホルダ１０１の後壁部１１１を後側から覆うように設けられている。第１シート部２０１には、２つの切欠２０４Ａ，２０４Ｂが形成されている。切欠２０４Ａは、左右方向において、後壁部１１１の左突起１５１および左突出部１５２と前後方向に重なる位置に配置されている。切欠２０４Ｂは、左右方向において、後壁部１１１の右突起１５５および右突出部１５６と前後方向に重なる位置に配置されている。切欠２０４Ａ，２０４Ｂは、第１シート部２０１の下端縁を上端縁まで上側に切り欠いて形成されている。
【００９８】
第２シート部２０２は、第１シート部２０１の上端縁から前側に延びている。第２シート部２０２の前端縁は、第１イメージセンサモジュール１０２の基板１６２の前後方向の中央部に配置されている。
【００９９】
第３シート部２０３Ａ，２０３Ｂ，２０３Ｃは、それぞれ図７に示される切欠１１７Ａ，１１７Ｂ，１１７Ｃと左右方向に同じ位置に配置されている。第３シート部２０３Ａ，２０３Ｂ，２０３Ｃは、それぞれ第２シート部２０２から前側に延び、途中部が前壁部１１２に沿うように屈曲して下側に延びている。第３シート部２０３Ａ，２０３Ｂ，２０３Ｃは、それぞれ第２係合部１３２Ａ，１３２Ｂ，１３２Ｃを前側から覆っている。
【０１００】
押圧部材１０４Ａは、金属製の線材を折り曲げて形成されている。押圧部材１０４Ａは、図４および図５に示されるように、第１延部２１１、第２延部２１２、第１巻回部２１３、第１係止部２１４、第３延部２１５、第２巻回部２１６および第２係止部２１７を一体的に有している。
【０１０１】
第１延部２１１は、樹脂シート１０３の上側で、後壁部１１１の左端部と前壁部１１２の左端部との間に跨がって前後方向に延びている。第１延部２１１は、第１ホルダ１０１の前壁部１１２における切欠１１７Ａと左右方向に同じ位置に配置されている。
【０１０２】
第２延部２１２は、図４に示されるように、第１延部２１１の後端から第１ホルダ１０１の後壁部１１１に形成された左突起１５１に向けて、右下側に延びている。
【０１０３】
第１巻回部２１３は、第２延部２１２の右下端から左突起１５１に巻回されている。
【０１０４】
第１係止部２１４は、第１巻回部２１３から上側に延び、左突出部１５２の左側から上側を迂回して右側に回り込んだ後に下側に延びている。これにより、第１係止部２１４は、左突出部１５２に係止されている。
【０１０５】
第３延部２１５は、図５に示されるように、第１延部２１１の前端から第１ホルダ１０１の前壁部１１２に形成された左突起１５３に向けて、右下側に延びている。
【０１０６】
第２巻回部２１６は、第３延部２１５の右下端から左突起１５３に巻回されている。
【０１０７】
第２係止部２１７は、第２巻回部２１６から上側に延び、左突出部１５４の左側から上側を迂回して右側に回り込んだ後に下側に延びている。これにより、第２係止部２１４は、左突出部１５４に係止されている。
【０１０８】
これにより、押圧部材１０４Ａは、第１係止部２１４および第２係止部２１７がそれぞれ左突出部１５２および左突出部１５４に係止されることにより、第１ホルダ１０１に取り付けられている。さらに、第１巻回部２１３および第２巻回部２１６がそれぞれ左突起１５１および左突起１５３に巻回されていることにより、第１延部２１１は、樹脂シート１０３を介して、第１イメージセンサモジュール１０２の後板部１７１および前板部１７２の左端部の上端を下側に押圧している。
【０１０９】
押圧部材１０４Ｂは、金属製の線材を折り曲げて形成されている。押圧部材１０４Ｂは、図４および図５に示されるように、第１延部２２１、第２延部２２２、第１巻回部２２３、第１係止部２２４、第３延部２２５、第２巻回部２２６および第２係止部２２７を一体的に有している。
【０１１０】
第１延部２２１は、樹脂シート１０３の上側で、後壁部１１１の右端部と前壁部１１２の右端部との間に跨がって前後方向に延びている。第１延部２２１は、第１ホルダ１０１の前壁部１１２における切欠１１７Ｃと左右方向に同じ位置に配置されている。
【０１１１】
第２延部２２２は、図４に示されるように、第１延部２２１の後端から第１ホルダ１０１の後壁部１１１に形成された右突起１５５に向けて、左下側に延びている。
【０１１２】
第１巻回部２２３は、第２延部２２２の左下端から右突起１５５に巻回されている。
【０１１３】
第１係止部２２４は、第１巻回部２２３から上側に延び、右突出部１５６の右側から上側を迂回して左側に回り込んだ後に下側に延びている。これにより、第１係止部２２４は、右突出部１５６に係止されている。
【０１１４】
第３延部２２５は、図５に示されるように、第１延部２２１の前端から第１ホルダ１０１の前壁部１１２に形成された右突起１５７に向けて、左下側に延びている。
【０１１５】
第２巻回部２２６は、第３延部２２５の左下端から右突起１５７に巻回されている。
【０１１６】
第２係止部２２７は、第２巻回部２２６から上側に延び、右突出部１５８の右側から上側を迂回して左側に回り込んだ後に下側に延びている。これにより、第２係止部２２７は、右突出部１５８に係止されている。
【０１１７】
これにより、押圧部材１０４Ｂは、第１係止部２２４および第２係止部２２７がそれぞれ右突出部１５６および右突出部１５８に係止されることにより、第１ホルダ１０１に取り付けられている。さらに、第１巻回部２２３および第２巻回部２２６がそれぞれ右突起１５５および右突起１５７に巻回されていることにより、第１延部２２１は、樹脂シート１０３を介して、第１イメージセンサモジュール１０２の後板部１７１および前板部１７２の右端部の上端を下側に押圧している。
【０１１８】
＜第２読取部＞
【０１１９】
第２読取部３６は、図１４に示されるように、ホルダの一例である第２ホルダ２３１およびイメージセンサモジュールの一例である第２イメージセンサモジュール２３２および透明板２４４を備えている。
【０１２０】
第２ホルダ２３１は、第１壁部の一例である後壁部２４１、第２壁部の一例である前壁部２４２、第３壁部の一例である上壁部２４３、前延部２４６および後延部２４７ならびに非図示の左壁部および右壁部を一体的に備えている。
【０１２１】
後壁部２４１は、左右方向および上下方向に延びている。前壁部２４２は、後壁部２４１の前側に間隔を空けて、後壁部２４１と左右方向に同じ位置で、後壁部２４１と平行に延びている。左壁部は、後壁部２４１および前壁部２４２の各左端縁間を連結している。右壁部は、後壁部２４１および前壁部２４２の各右端縁間を連結している。上壁部２４３は、後壁部２４１、前壁部２４２、左壁部および右壁部の各上端縁間に架設されている。前延部２４６は、上壁部２４３の前端から前側に延びている。後延部２４７は、上壁部２４３の後端から後側に延びている。
【０１２２】
上壁部２４３および前延部２４６には、図９に示されるように、凹部２５１が形成されている。凹部２５１は、上壁部２４３と前延部２４６との上面に跨がって、それぞれの上面から下側に凹んで前後方向および左右方向に延びている。透明板２４４は、前後方向において凹部２５１よりも小さく形成されており、凹部２５１に嵌められて上壁部２４３に保持されている。
【０１２３】
また、上壁部２４３には、窓２５２が形成されている。窓２５２は、上壁部２４３において、透明板２４４の後端部と上下方向に重なる位置で左右方向に延びるように形成された開口である。
【０１２４】
また、後延部２４７には、切欠２５４が形成されている。切欠２５４は、傾斜部２５３の後端縁が前側に切り欠かれて形成されている。切欠２５４は、非図示のアクチュエータを上壁部２４３の下側から上側に向けて突出させる。アクチュエータは、たとえば、カードの挿入を検知するための非図示のカードリアセンサのアクチュエータである。
【０１２５】
また、後壁部２４１には、切欠２４５が形成されている。切欠２４５は、後壁部２４１の下端部に配置され、その前面が後側に切り欠かれて形成されている。
【０１２６】
第２イメージセンサモジュール２３２は、ＬＥＤ光源、レンズおよびイメージセンサなどをその内部に備えている。第２イメージセンサモジュール２３２は、第２ホルダ２３１内に配置されている。
【０１２７】
また、図１４に示されるように、下フレーム６において、第２収容部４２の底面を形成する底面部２８１には、介在壁部２８２が形成されている。介在壁部２８２は、第２ホルダ２３１の後壁部２４１と第２イメージセンサモジュール２３２との間で、第２ホルダ２３１の後壁部２４１の切欠２４５の前側に位置している。介在壁部２８２は、底面部２８１の上面から上側に突出して、左右方向に延びている。
【０１２８】
介在壁部２８２により、第２ホルダ２３１の後壁部２４１と底面部２８１との間から第２ホルダ２３１内に塵埃が入り込むことが抑制できる。これにより、第２イメージセンサモジュール２３２の読取面に塵埃が付着することを抑制できる。
【０１２９】
＜作用効果＞
【０１３０】
以上のように、第１イメージセンサモジュール１０２の上側に樹脂シート１０３が配置されている。そのため、第１ホルダ１０１内に紙粉などの塵埃が入り込むことを抑制できる。これにより、第１イメージセンサモジュール１０２の読取面、つまり透明板１２０との対向部に塵埃が付着することを抑制できる。その結果、第１イメージセンサモジュール１０２により、シートＳの画像を良好に読み取ることができる。
【０１３１】
また、第１イメージセンサモジュール１０２と押圧部材１０４Ａ，１０４Ｂとの間に、樹脂シート１０３が介在される。これにより、押圧部材１０４Ａ，１０４Ｂが第１イメージセンサモジュール１０２に直に接触することを抑制できる。そのため、第１イメージセンサモジュール１０２の上端部に基板１６２が設けられていても、押圧部材１０４Ａ，１０４Ｂが基板１６２と直に接触することを抑制できる。
【０１３２】
第１イメージセンサモジュール１０２は、左右方向の両側および前後方向の両側を取り囲む側部１６１を備え、押圧部材１０４Ａ，１０４Ｂは、樹脂シート１０３を介して側部１６１を押圧している。
【０１３３】
この構成によれば、押圧部材１０４Ａ，１０４Ｂは、樹脂シート１０３を介して、第１イメージセンサモジュール１０２の側部１６１を押圧する。そのため、押圧部材１０４Ａ，１０４Ｂの押圧による基板１６２の変形を抑制できる。
【０１３４】
２つの押圧部材１０４Ａ，１０４Ｂが左右方向に間隔を空けて設けられている。
【０１３５】
この構成によれば、２つの押圧部材１０４Ａ，１０４Ｂにより、第１イメージセンサモジュール１０２を左右方向においてバランスよく押圧することができる。
【０１３６】
押圧部材１０４Ａ，１０４Ｂは、金属の線材からなる。
【０１３７】
この構成によれば、簡素な構成により、第１イメージセンサモジュール１０２を押圧することができる。
【０１３８】
第１ホルダ１０１は、後端に設けられ、左右方向および前後方向に延びる後壁部１１１と、前端に設けられ、左右方向および前後方向に延びる前壁部１１２とを備え、押圧部材１０４Ａ，１０４Ｂは、後壁部１１１と前壁部１１２との間に架設されている。
【０１３９】
この構成によれば、後壁部１１１と前壁部１１２との間において、押圧部材１０４Ａ，１０４Ｂにより、第１イメージセンサモジュール１０２を押圧することができる。
【０１４０】
第１ホルダ１０１は、後壁部１１１から後側に突出する左突起１５１と、前壁部１１２から前側に突出する左突起１５３とを備え、押圧部材１０４Ａは、後壁部１１１と前壁部１１２との間に跨がる第１延部２１１と、第１延部２１１の後端部から左突起１５１に向けて延びる第２延部２１２と、左突起１５１に巻回される第１巻回部２１３と、第１巻回部２１３から延び、後壁部１１１の左突出部１５４に係止される第１係止部２１４と、第１延部２１１の前端部から左突起１５３に向けて延びる第３延部２１５と、左突起１５３に巻回される第２巻回部２１６と、第２巻回部２１６から延び、前壁部１１２の左突出部１５４に係止される第２係止部２１７とを一体的に有している。
【０１４１】
この構成によれば、後壁部１１１および前壁部１１２の上端部に対して、押圧部材１０４Ａの第１延部２１１が上側に位置し、第２延部２１２、第１巻回部２１３、第１係止部２１４、第３延部２１５、第２巻回部２１６および第２係止部２１７を下側に位置させることができる。そのため、画像読取装置１を上下方向において小型化することができる
【０１４２】
第１ホルダ１０１は、後壁部１１１から後側に突出する右突起１５５と、前壁部１１２から前側に突出する右突起１５７とを備え、押圧部材１０４Ｂは、後壁部１１１と前壁部１１２との間に跨がる第１延部２２１と、第１延部２２１の後端部から右突起１５５に向けて延びる第２延部２２２と、右突起１５５に巻回される第１巻回部２２３と、第１巻回部２２３から延び、後壁部１１１の右突出部１５６に係止される第１係止部２２４と、第１延部２２１の前端部から右突起１５７に向けて延びる第３延部２２５と、右突起１５７に巻回される第２巻回部２２６と、第２巻回部２２６から延び、前壁部１１２の右突出部１５８に係止される第２係止部２２７とを一体的に有している。
【０１４３】
この構成によれば、後壁部１１１および前壁部１１２の上端部に対して、押圧部材１０４Ｂの第１延部２２１が上側に位置し、第２延部２２２、第１巻回部２２３、第１係止部２２４、第３延部２２５、第２巻回部２２６および第２係止部２２７を下側に位置させることができる。そのため、画像読取装置１を上下方向において小型化することができる。
【０１４４】
第１ホルダ１０１は、後壁部１１１に設けられ、第１イメージセンサモジュール１０２の第１突出部１７５Ａ，１７５Ｂ，１７５Ｃとそれぞれ係合する第１係合部１３１Ａ，１３１Ｂ，１３１Ｃと、前壁部１１２に設けられ、第１イメージセンサモジュール１０２の第２突出部１７６Ａ，１７６Ｂ，１７６Ｃとそれぞれ係合する第２係合部１３２Ａ，１３２Ｂ，１３２Ｃとを備え、樹脂シート１０３は、第１係合部１３１Ａ，１３１Ｂ，１３１Ｃを後側から覆い、第２係合部１３２Ａ，１３２Ｂ，１３２Ｃを前側から覆うように設けられている。
【０１４５】
この構成によれば、第１ホルダ１０１の第１係合部１３１Ａ，１３１Ｂ，１３１Ｃがそれぞれ第１イメージセンサモジュール１０２の第１突出部１７５Ａ，１７５Ｂ，１７５Ｃと係合され、第１ホルダ１０１の第２係合部１３２Ａ，１３２Ｂ，１３２Ｃが第１イメージセンサモジュール１０２の第２突出部１７６Ａ，１７６Ｂ，１７６Ｃと係合することにより、第１イメージセンサモジュール１０２を第１ホルダ１０１に保持させることができる。また、樹脂シート１０３の第１シート部２０１は、第１係合部１３１Ａ，１３１Ｂ，１３１Ｃを後側から覆う。樹脂シート１０３の第３シート部２０３Ａ，２０３Ｂ，２０３Ｃは、第２係合部１３２Ａ，１３２Ｂ，１３２Ｃをそれぞれ前側から覆う。これにより、第１係合部１３１Ａ，１３１Ｂ，１３１Ｃと後壁部１１１との間および第２係合部１３２Ａ，１３２Ｂ，１３２Ｃと前壁部１１２との間の隙間から第１ホルダ１０１内に紙粉などの塵埃が入り込むことを抑制できる。
【０１４６】
第１ホルダ１０１は、後壁部１１１および前壁部１１２の下端部間に設けられ、第１イメージセンサモジュール１０２に出入りする光が通過する窓１２２が形成された下壁部１１５とを備え、下壁部１１５を搬送路１６に向けて、搬送路１６の上側に配置されており、樹脂シート１０３は、後壁部１１１と第１イメージセンサモジュール１０２との間の隙間を上側から閉塞するように設けられている。
【０１４７】
この構成によれば、樹脂シート１０３により、第１ホルダ１０１の後壁部１１１と第１イメージセンサモジュール１０２との隙間から第１ホルダ１０１内に紙粉などの塵埃が入り込むことを抑制できる。
【０１４８】
＜変形例＞
【０１４９】
以上、本発明の一実施形態について説明したが、本発明は、他の形態で実施することもできる。
【０１５０】
前述の実施形態では、押圧部材１０４Ａは、第１係止部２１４が左突出部１５２に係止され、第２係止部２１７が左突出部１５４に係止されることにより、第１ホルダ１０１に係止されていた。しかしながら、第１係止部２１４が後壁部１１１の後側から上側を迂回して前側に回り込むことにより、後壁部１１１に係止されており、第２係止部２１７が前壁部１１２の前側から上側を迂回して後側に回り込むことにより、前壁部１１２に係止されていてもよい。これにより、押圧部材１０４Ａは、第１ホルダ１０１に係止される。同様に、押圧部材１０４Ｂは、第１係止部２２４および第２係止部２２７がそれぞれ後壁部１１１および前壁部１１２に係止されることにより、第１ホルダ１０１に係止されていてもよい。
【０１５１】
また、図１５に示されるように、第２ホルダ２３１は、樹脂シート３０１を備えていてもよい。樹脂シート３０１は、その上端が第２ホルダ２３１の後壁部２４１の下端部に配置されており、底面部２８１の上面まで下側に延びている。これにより、底面部２８１に介在壁部２８２が形成されていなくても、第２収容部４２の後面と後壁部２４１との間から紙粉などの塵埃が第２ホルダ２３１内に入り込むことを抑制できる。
【０１５２】
その他、前述の構成には、特許請求の範囲に記載された事項の範囲で種々の設計変更を施すことが可能である。
【符号の説明】
【０１５３】
１        画像読取装置
１６      搬送路
１０１    第１ホルダ
１０２    第１イメージセンサモジュール
１０３    樹脂シート
１０４Ａ  押圧部材
１０４Ｂ  押圧部材
１６１    側部
１１１    後壁部
１１２    前壁部
１１５    下壁部
１２２    窓
１３１Ａ  第１係合部
１３１Ｂ  第１係合部
１３１Ｃ  第１係合部
１３２Ａ  第２係合部
１３２Ｂ  第２係合部
１３２Ｃ  第２係合部
１５１    左突起
１５３    左突起
１５５    右突起
１５７    右突起
２１１    第１延部
２１２    第２延部
２１３    第１巻回部
２１４    第１係止部
２１５    第３延部
２１６    第２巻回部
２１７    第２係止部
２２１    第１延部
２２２    第２延部
２２３    第１巻回部
２２４    第１係止部
２２５    第３延部
２２６    第２巻回部
２２７    第２係止部
２３１    第２ホルダ
２３２    第２イメージセンサモジュール
２４１    後壁部
２４２    前壁部
２４３    上壁部
２８１    底面部
２８２    介在壁部
【図１】
2014195208.tif 000003
【図２】
2014195208.tif 000004
【図３】
2014195208.tif 000005
【図４】
2014195208.tif 000006
【図５】
2014195208.tif 000007
【図６】
2014195208.tif 000008
【図７】
2014195208.tif 000009
【図８】
2014195208.tif 000010
【図９】
2014195208.tif 000011
【図１０】
2014195208.tif 000012
【図１１】
2014195208.tif 000013
【図１２】
2014195208.tif 000014
【図１３】
2014195208.tif 000015
【図１４】
2014195208.tif 000016
【図１５】
2014195208.tif 000017